(57)【要約】【課題】より高い利便性を有する電子機器、及び電子機器の制御方法を提供する。【解決手段】一実施形態に係る電子機器は、外部機器に音声信号を無線により送信する電子機器であって、前記外部機器と無線通信する無線通信手段と、音声信号を受け取る音声受取手段と、前記音声受取手段により受け取った音声信号を遅延させる音声遅延手段と、前記音声遅延手段により遅延された音声信号を出力する第１の音声出力手段と、前記音声受取手段により受け取った音声信号を前記無線通信手段により前記外部機器に送信する第２の音声出力手段と、前記外部機器から送信された遅延時間情報を前記通信手段により取得し、前記遅延時間情報に応じて音声信号を遅延させるように前記音声遅延手段を制御する制御手段と、を具備する。【選択図】      図２
2015039092.tif 000002
【特許請求の範囲】
【請求項１】
外部機器に音声信号を無線により送信する電子機器であって、
前記外部機器と無線通信する無線通信手段と、
音声信号を受け取る音声受取手段と、
前記音声受取手段により受け取った音声信号を遅延させる音声遅延手段と、
前記音声遅延手段により遅延された音声信号を出力する第１の音声出力手段と、
前記音声受取手段により受け取った音声信号を前記無線通信手段により前記外部機器に送信する第２の音声出力手段と、
前記外部機器から送信された遅延時間情報を前記通信手段により取得し、前記遅延時間情報に応じて音声信号を遅延させるように前記音声遅延手段を制御する制御手段と、
を具備する電子機器。
【請求項２】
前記制御手段は、前記通信手段により前記外部機器と無線通信を行なう為の設定の際に前記外部機器から受け取る前記外部機器の識別情報の一部を前記遅延時間情報として認識する、請求項１に記載の電子機器。
【請求項３】
前記制御手段は、前記識別情報として前記外部機器から受け取る前記外部機器の機器名称の一部を前記遅延時間情報として認識する、請求項２に記載の電子機器。
【請求項４】
前記制御手段は、前記識別情報として前記外部機器から受け取る前記外部機器の製品番号の一部を前記遅延時間情報として認識する、請求項２に記載の電子機器。
【請求項５】
映像信号を受け取る映像受取手段と、
前記映像受取手段により受け取った映像信号を遅延させる映像遅延手段と、
前記映像遅延手段により遅延された映像信号を出力する映像出力手段と、
をさらに具備し、
前記制御手段は、前記遅延時間情報に応じて映像信号を遅延させるように前記映像遅延手段を制御する、
請求項１乃至４のうちのいずれかに記載の電子機器。
【請求項６】
外部機器と無線通信する無線通信手段を具備し、前記外部機器に音声信号を無線により送信する電子機器の制御方法であって、
音声信号を受け取り、
受け取った音声信号を前記無線通信手段により前記外部機器に送信し、
前記外部機器から送信された遅延時間情報を前記通信手段により取得し、前記遅延時間情報に応じて音声信号を遅延させ、
遅延された音声信号を出力する、
電子機器の制御方法。
【発明の詳細な説明】
【技術分野】
【０００１】
本発明の実施形態は、電子機器、及び電子機器の制御方法に関する。
【背景技術】
【０００２】
従来、映画、テレビ番組、またはゲームなどの映像コンテンツを再生することができる例えばコンテンツ再生装置などの電子機器が一般的に普及している。
【０００３】
また、上記のコンテンツ再生装置から無線通信により音声信号を受け取り、音声を出力するスピーカ（手元スピーカ）が実用化されている。
【先行技術文献】
【特許文献】
【０００４】
【特許文献１】特開２００５−３０３９４５号公報
【発明の概要】
【発明が解決しようとする課題】
【０００５】
従来の構成によると、無線通信により音声信号が伝送される際に遅延が生じる可能性ある。この為、コンテンツ再生装置側で出力される音声と、手元スピーカから出力される音声とで時間差が生じる可能性がある。この場合、ユーザに違和感を与えるという課題がある。
【０００６】
本発明の目的は、より高い利便性を有する電子機器、及び電子機器の制御方法を提供することである。
【課題を解決するための手段】
【０００７】
一実施形態に係る電子機器は、外部機器に音声信号を無線により送信する電子機器であって、前記外部機器と無線通信する無線通信手段と、音声信号を受け取る音声受取手段と、前記音声受取手段により受け取った音声信号を遅延させる音声遅延手段と、前記音声遅延手段により遅延された音声信号を出力する第１の音声出力手段と、前記音声受取手段により受け取った音声信号を前記無線通信手段により前記外部機器に送信する第２の音声出力手段と、前記外部機器から送信された遅延時間情報を前記通信手段により取得し、前記遅延時間情報に応じて音声信号を遅延させるように前記音声遅延手段を制御する制御手段と、を具備する。
【図面の簡単な説明】
【０００８】
【図１】図１は、一実施形態に係る電子機器について説明する為の図である。
【図２】図２は、一実施形態に係る電子機器について説明する為の図である。
【図３】図３は、一実施形態に係る電子機器について説明する為の図である。
【図４】図４は、一実施形態に係る電子機器について説明する為の図である。
【発明を実施するための形態】
【０００９】
以下、図を参照しながら、一実施形態に係る電子機器、及び電子機器の制御方法について詳細に説明する。
【００１０】
図１は、複数の電子機器により構成されるシステムの例を示す。本システムは、例えば、コンテンツ再生装置１００、及び無線スピーカ２００などを有する。
【００１１】
コンテンツ再生装置１００は、例えば、ＴＶ、ＰＣ、光ディスクプレイヤー、またはハードディスクレコーダなどである。即ち、コンテンツ再生装置１００は、放送信号、または記憶媒体に記憶されている映像コンテンツなどを再生することができる電子機器である。なお、以下、コンテンツ再生装置１００は、放送受信装置１００であるとして説明する。また、放送受信装置１００は、リモートコントローラ１６３、及び無線スピーカ２００と通信する通信手段を備える。
【００１２】
無線スピーカ２００は、放送受信装置１００と無線により通信することができる。無線スピーカ２００は、放送受信装置１００から無線により音声信号を受け取り、再生することができる。無線スピーカ２００は、例えば、手元スピーカ、ヘッドセット、ハンドセット、携帯端末、背後スピーカ、またはスピーカと無線通信機能とを備える他の電子機器である。即ち、無線スピーカ２００は、スピーカと無線通信機能とを備えるタブレット型のＰＣなどであってもよい。
【００１３】
例えば、無線スピーカ２００は、Ｂｌｕｅｔｏｏｔｈ（登録商標）などにより他の機器と通信する機能を有する。また、放送受信装置１００は、Ｂｌｕｅｔｏｏｔｈなどにより他の機器と通信する機能を有する。この場合、無線スピーカ２００は、放送受信装置１００とＢｌｕｅｔｏｏｔｈにより通信することができる。
【００１４】
放送受信装置１００は、コンテンツを再生し、ディジタルの映像信号及びディジタルの音声信号を取得する。放送受信装置１００は、ディジタル映像信号及びディジタル音声信号をディスプレイ及びスピーカにより再生可能な信号に変換し、映像及び音声を出力する。
【００１５】
また、放送受信装置１００は、ディジタルの音声信号を無線通信により無線スピーカ２００に送信することができる。無線スピーカ２００は、放送受信装置１００から無線通信によりディジタル音声信号を受け取る。無線スピーカ２００は、受け取ったディジタル音声信号をディジタルアナログ変換（ＤＡ変換）し、変換したアナログの音声信号を増幅し、出力する。このような構成により、無線スピーカ２００は、放送受信装置１００により再生されたコンテンツの音声を出力することができる。
【００１６】
図２は、一実施形態に係る放送受信装置１００の例を示す。  
放送受信装置１００は、チューナ１１１、復調部１１２、信号処理部１１３、音声デコーダ１２１、音声遅延器１２２、ＤＡ変換器１２３、アンプ１２４、映像デコーダ１３１、映像遅延器１３２、表示処理部１３３、制御部１５０、操作入力部１６１、受光部１６２、ＬＡＮコネクタ１７１、無線通信部１７２、及びＨＤＭＩ端子１７３を備える。また、放送受信装置１００は、さらにスピーカ１２５及びディスプレイ１３４を備える。
【００１７】
チューナ１１１は、ディジタル放送信号用のチューナである。チューナ１１１は、例えばアンテナにより受信されたディジタル放送信号を受け取ることができる。アンテナは、例えば、地上ディジタル放送信号、ＢＳ（ｂｒｏａｄｃａｓｔｉｎｇ  ｓａｔｅｌｌｉｔｅ）ディジタル放送信号、及び／または、１１０度ＣＳ（ｃｏｍｍｕｎｉｃａｔｉｏｎ  ｓａｔｅｌｌｉｔｅ）ディジタル放送信号を受信することができる。
【００１８】
チューナ１１１は、ディジタル放送信号のチューニング（選局）を行う。チューナ１１１は、チューニングしたディジタル放送信号を復調部１１２に送信する。
【００１９】
復調部１１２は、受信したディジタル放送信号を復調する。これにより、復調部１１２は、ディジタル放送信号からトランスポートストリーム（ＴＳ）などのコンテンツデータを取得する。これにより、復調部１１２は、ディジタル放送信号により供給される番組などのコンテンツのデータを取得することが出来る。復調部１１２は、取得したコンテンツデータを信号処理部１１３に入力する。
【００２０】
信号処理部１１３は、コンテンツデータの分離などの信号処理を行う。即ち、信号処理部１１３は、コンテンツデータをディジタル映像信号、ディジタル音声信号、及びその他のデータ信号に分離する。信号処理部１１３は、音声デコーダ１２１にディジタル音声信号を供給する。また、信号処理部１１３は、映像デコーダ１３１にディジタル映像信号を供給する。さらに、信号処理部１１３は、制御部１５０にデータ信号を供給する。
【００２１】
音声デコーダ１２１は、信号処理部１１３から受信したディジタル音声信号をデコードする。音声デコーダ１２１は、デコードしたディジタル音声信号を音声遅延器１２２に供給する。
【００２２】
音声遅延器１２２は、制御部１５０により指示された遅延時間に応じて、ディジタル音声信号の出力を遅延させる。音声遅延器１２２は、メモリを有する。音声遅延器１２２は、受信したディジタル音声信号をメモリに一時的に格納する。音声遅延器１２２は、ディジタル音声信号をメモリに格納してから上記の遅延時間が経過した際、ディジタル音声信号を後段のＤＡ変換器１２３に供給する。
【００２３】
ＤＡ変換器１２３は、ディジタル音声信号をスピーカ１２５により再生可能なフォーマットの信号（オーディオ信号）に変換する。即ち、ＤＡ変換器１２３は、ディジタル音声信号をディジタルアナログ変換によりオーディオ信号に変換する。ＤＡ変換器１２３は、オーディオ信号をアンプ１２４に供給する。
【００２４】
アンプ１２４は、制御部１５０により制御された音量でオーディオ信号がスピーカ１２５により再生されるように、オーディオ信号を増幅する。アンプ１２４は、増幅したオーディオ信号をスピーカ１２５に供給する。スピーカ１２５は、供給されるオーディオ信号に基づいて音声を出力する。
【００２５】
映像デコーダ１３１は、信号処理部１１３から受信したディジタル映像信号をデコードする。これにより、映像デコーダ１３１は、ディジタル映像信号をディスプレイ１３４で再生可能なフォーマットの映像信号に変換する。映像デコーダ１３１は、デコードしたディジタル映像信号を映像遅延器１３２に供給する。
【００２６】
映像遅延器１３２は、制御部１５０により指示された遅延時間に応じて、ディジタル映像信号の出力を遅延させる。映像遅延器１３２は、メモリを有する。映像遅延器１３２は、受信したディジタル映像信号をメモリに一時的に格納する。映像遅延器１３２は、ディジタル映像信号をメモリに格納してから上記の遅延時間が経過した際、ディジタル映像信号を後段の表示処理部１３３に供給する。
【００２７】
表示処理部１３３は、例えば、制御部１５０からの制御に基づいて、受信した映像信号に対して色味、明るさ、シャープ、コントラスト、またはその他の画質調整処理を行う。表示処理部１３３は、画質調整を施した映像信号をディスプレイ１３４に供給する。ディスプレイ１３４は、供給される映像信号に基づいて映像を表示する。
【００２８】
ディスプレイ１３４は、例えば、マトリクス状に配列された複数の画素を備える液晶表示パネルと、この液晶パネルを照明するバックライトとを備える液晶表示装置などを備える。ディスプレイ１３４は、表示処理部１３３から供給される映像信号に基づいて映像を表示する。
【００２９】
なお、放送受信装置１００は、ディスプレイ１３４の代わりに、映像信号を出力する出力端子を備える構成であってもよい。また、放送受信装置１００は、スピーカ１２５の代わりに、オーディオ信号を出力する出力端子を備える構成であってもよい。また、放送受信装置１００は、ディジタル映像信号とディジタル音声信号とを出力する出力端子を備える構成であってもよい。
【００３０】
制御部１５０は、放送受信装置１００の各部の動作を制御する制御手段として機能する。制御部１５０は、ＣＰＵ１５１、ＲＯＭ１５２、ＲＡＭ１５３、及びＥＥＰＲＯＭ１５４などを備えている。制御部１５０は、操作入力部１６１から供給される操作信号に基づいて、種々の処理を行う。
【００３１】
ＣＰＵ１５１は、種々の演算処理を実行する演算素子などを備える。ＣＰＵ１５１は、ＲＯＭ１５２、またはＥＥＰＲＯＭ１５４などに記憶されているプログラムを実行することにより種々の機能を実現する。
【００３２】
ＲＯＭ１５２は、放送受信装置１００を制御する為のプログラム、及び各種の機能を実現する為のプログラムなどを記憶する。ＣＰＵ１５１は、操作入力部１６１から供給される操作信号に基づいて、ＲＯＭ１５２に記憶されているプログラムを起動する。これにより、制御部１５０は、各部の動作を制御する。
【００３３】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータなどを記憶する。
【００３４】
ＥＥＰＲＯＭ１５４は、各種の設定情報、及びプログラムなどを記憶する不揮発性メモリである。
【００３５】
操作入力部１６１は、例えば、ユーザによる操作入力に応じて操作信号を生成する操作キー、またはタッチパッドなどを備える。また、操作入力部１６１は、キーボード、マウス、または操作信号を生成する事ができる他の入力装置などから操作信号を受け取る構成であってもよい。操作入力部１６１は、操作信号を制御部１５０に供給する。
【００３６】
なお、タッチパッドは、静電容量式センサ、サーモセンサ、または他の方式に基づいて位置情報を生成するデバイスを含む。また、放送受信装置１００がディスプレイ１３４を備える場合、操作入力部１６１は、ディスプレイ１３４と一体に形成されるタッチパネルなどを備える構成であってもよい。
【００３７】
受光部１６２は、例えば、リモートコントローラ１６３からの操作信号を受信するセンサなどを備える。受光部１６２は、受信した信号を制御部１５０に供給する。制御部１５０は、受光部１６２から供給された信号を受信し、受信した信号を増幅させてアナログディジタル変換（ＡＤ変換）を行うことにより、リモコン１６３から送信された元の操作信号を復号する。
【００３８】
リモートコントローラ１６３は、ユーザの操作入力に基づいて操作信号を生成する。リモートコントローラ１６３は、生成した操作信号を赤外線通信により受光部１６２に送信する。なお、受光部１６２及びリモートコントローラ１６３は、電波などの他の無線通信により操作信号の送受信を行う構成であってもよい。
【００３９】
ＬＡＮコネクタ１７１は、ＬＡＮ経由でインターネット、イントラネット、またはホームネットワークなどのネットワーク上の他の機器と通信を行なう為のインターフェースである。例えば、放送受信装置１００は、ＬＡＮコネクタ１７１によりネットワーク上の機器に記録されているコンテンツを取得し、再生することができる。
【００４０】
無線通信部１７２は、無線で他の機器と通信する機能を有する。無線通信部１７２は、例えば、Ｂｌｕｅｔｏｏｔｈなどにより他の機器と通信する機能を有する。無線通信部１７２は、音声デコーダ１２１によりデコードされたディジタル音声信号を受け取り、無線により他の機器に送信することができる。即ち、無線通信部１７２は、ディジタル音声信号をＢｌｕｅｔｏｏｔｈに基づくプロトコルを用いて、無線スピーカ２００に送信することができる。なお、放送受信装置１００は、無線通信部１７２の代わりに無線通信機能を有する機器が接続されるコネクタを備える構成であってもよい。
【００４１】
ＨＤＭＩ端子１７３は、ＨＤＭＩ（High Definition Multimedia Interface）（登録商標）などの規格に基づいた通信を行なう為のインターフェースである。ＨＤＭＩ端子１７３には、ブルーレイ（登録商標）レコーダ、ＤＶＤレコーダ、ハードディスクレコーダ、または他の機器とＨＤＭＩに対応した機器が接続される。ＨＤＭＩ端子１７３は、接続された機器から出力されたコンテンツデータを受信することができる。
【００４２】
制御部１５０は、ＨＤＭＩ端子１７３により受信したコンテンツデータを信号処理部１１３に入力させる。信号処理部１１３は、受信したコンテンツデータからディジタル映像信号、及びディジタル音声信号などを分離する。信号処理部１１３は、分離したディジタル映像信号を映像デコーダ１３１に送信し、分離したディジタル音声信号を音声デコーダ１２１に送信する。
【００４３】
また、放送受信装置１００は、図示しない電源部を備える。電源部は、ＡＣアダプタなどを介して商用電源などから電力を受け取る。電源部は、受け取った交流の電力を直流に変換し、放送受信装置１００内の各部へ供給する。
【００４４】
またさらに、放送受信装置１００は、ハードディスクドライブ（ＨＤＤ）、ソリッドステイトドライブ（ＳＳＤ）、または半導体メモリなどの記憶装置を備えていても良い。この記憶装置が動画のコンテンツデータを記憶する場合、放送受信装置１００は、この記憶装置に記憶されているコンテンツを読み出し、再生することが出来る。また、放送受信装置１００は、この記憶装置に例えば放送信号またはネットワークなどにより供給されるコンテンツを記憶することができる。
【００４５】
図３は、一実施形態に係る無線スピーカ２００の例を示す。  
無線スピーカ２００は、無線通信部２２１、ＤＡ変換器２２３、アンプ２２４、及びスピーカ２２５を備える。
【００４６】
無線通信部２２１は、無線で他の機器と通信する機能を有する。無線通信部２２１は、例えば、Ｂｌｕｅｔｏｏｔｈなどにより他の機器と通信する機能を有する。無線通信部２２１は、他の機器から無線により送信されたディジタル音声信号を受け取ることができる。無線通信部２２１は、受け取ったディジタル音声信号をＤＡ変換器２２３に供給する。即ち、無線通信部２２１は、放送受信装置１００からＢｌｕｅｔｏｏｔｈに基づくプロトコルにより送信されたディジタル音声信号を受信し、ＤＡ変換器２２３に供給する。
【００４７】
ＤＡ変換器２２３は、ディジタル音声信号をスピーカ２２５により再生可能なフォーマットの信号（オーディオ信号）に変換する。即ち、ＤＡ変換器２２３は、ディジタル音声信号をディジタルアナログ変換によりオーディオ信号に変換する。ＤＡ変換器２２３は、オーディオ信号をアンプ２２４に供給する。
【００４８】
アンプ２２４は、音声が所定の音量でスピーカ２２５により再生されるように、オーディオ信号を増幅する。例えば、アンプ２２４は、音量調整つまみなどにより調整された音量で音声が再生されるようにオーディオ信号を増幅する。アンプ２２４は、増幅したオーディオ信号をスピーカ２２５に供給する。スピーカ２２５は、供給されるオーディオ信号に基づいて音声を出力する。
【００４９】
上記した構成によると、コンテンツに関する音声は、放送受信装置１００のスピーカ１２５と、無線スピーカ２００のスピーカ２２５との両方から出力される。
【００５０】
なお、放送受信装置１００と、無線スピーカ２００とは、互いにＢｌｕｅｔｏｏｔｈにより通信を行なう為に、接続設定（ペアリングまたはボンディング）を行なう必要がある。
【００５１】
放送受信装置１００と、無線スピーカ２００とで接続設定を行なう場合、放送受信装置１００または無線スピーカ２００が探索可能な状態に設定されている必要がある。ここでは、無線スピーカ２００が探索可能な状態に設定されている例について説明する。
【００５２】
無線スピーカ２００が探索可能な状態に設定されている状態で放送受信装置１００が探索を行った場合、放送受信装置１００は、無線スピーカ２００を検出することができる。この場合、無線スピーカ２００は、放送受信装置１００に自身を識別させる為の情報（識別情報）と、パスキー（例えばＰＩＮなどの認証鍵）とを放送受信装置１００に送信する。この為に、無線スピーカ２００の無線通信部２２１は、上記したパスキー及び識別情報を記憶するメモリ２２１ａを備える。
【００５３】
放送受信装置１００の無線通信部１７２は、無線スピーカ２００からパスキー及び識別情報を受信した場合、無線スピーカ２００を登録機器として登録する。無線通信部１７２は、登録機器として登録した機器と無線通信を行なうことができる。
【００５４】
この為に、無線通信部１７２は、登録機器のパスキー及び識別情報を記憶するメモリ１７２ａを備える。また、無線通信部１７２は、登録機器の種類（例えばＢｌｕｅｔｏｏｔｈにおけるプロファイル）、及びさらに他の情報を併せて登録する構成であってもよい。
【００５５】
さらに、無線スピーカ２００は、ディジタル音声信号を無線通信部２２１により受信する際に生じる遅延時間を示す情報（遅延時間情報）を放送受信装置１００に通知する。この為に、無線スピーカ２００のメモリ２２１ａは、遅延時間情報を予め記憶する。
【００５６】
例えば、無線スピーカ２００は、上記の接続設定の際に、識別情報の一部に遅延時間情報を付加することにより、遅延時間情報を放送受信装置１００に通知する。
【００５７】
例えば、無線スピーカ２００は、無線スピーカ２００の機器名称を上記の接続設定に用いる。この場合、メモリ２２１ａは、機器名称の一部として遅延時間情報を有する。即ち、無線スピーカ２００は、遅延時間情報を含む機器名称と、パスキーとを放送受信装置１００に送信する。
【００５８】
放送受信装置１００の無線通信部１７２は、無線スピーカ２００からパスキー及び機器名称を受信した場合、受信した機器名称から遅延時間情報を認識し、無線スピーカ２００の遅延時間としてメモリ１７２ａに登録する。
【００５９】
また、例えば、無線スピーカ２００は、無線スピーカ２００の製品番号を上記の接続設定に用いる。この場合、メモリ２２１ａは、製品番号の一部として遅延時間情報を有する。即ち、無線スピーカ２００は、遅延時間情報を含む製品番号と、パスキーとを放送受信装置１００に送信する。
【００６０】
放送受信装置１００の無線通信部１７２は、無線スピーカ２００からパスキー及び製品番号を受信した場合、受信した製品番号から遅延時間情報を認識し、無線スピーカ２００の遅延時間としてメモリ１７２ａに登録する。
【００６１】
また、無線スピーカ２００は、遅延時間情報を直接放送受信装置１００に通知する構成であってもよい。この場合、放送受信装置１００の無線通信部１７２は、受信した遅延時間情報を無線スピーカ２００の遅延時間としてメモリ１７２ａに登録する。
【００６２】
放送受信装置１００の制御部１５０は、メモリ１７２ａに記憶されている情報を読み出し、無線スピーカ２００における遅延時間を認識する。制御部１５０は、認識した遅延時間を音声遅延器１２２及び映像遅延器１３２に供給する。
【００６３】
音声遅延器１２２は、ディジタル音声信号の後段への出力を制御部１５０により指示された遅延時間だけ遅延させる。また、映像遅延器１３２は、ディジタル映像信号の後段への出力を制御部１５０により指示された遅延時間だけ遅延させる。
【００６４】
これにより、制御部１５０は、認識した遅延時間を用いて、音声遅延器１２２による遅延処理、及び映像遅延器１３２による遅延処理を制御することができる。
【００６５】
即ち、制御部１５０は、Ｂｌｕｅｔｏｏｔｈにより通信を行なう無線通信部１７２と無線スピーカ２００の無線通信部２２１との通信が確立された際に無線スピーカ２００から供給された遅延時間情報に基づいて、スピーカ１２５から音声が出力されるタイミングと、スピーカ２２５から音声が出力されるタイミングと、の時間差が最小になるように音声遅延器１２２の遅延量を設定する。
【００６６】
また、制御部１５０は、上記の遅延時間情報に基づいて、ディスプレイ１３４から映像が出力されるタイミングと、スピーカ２２５から音声が出力されるタイミングと、の時間差が最小になるように映像遅延器１３２の遅延量を設定する。
【００６７】
図４は、スピーカ１２５及びスピーカ２２５から音声が出力されるタイミングの例を概念的に示す。
【００６８】
（ａ）は、音声デコーダ１２１からディジタル音声信号が出力されるタイミングを示す。（ｂ）は、遅延時間Ｔが「Ｔ＝０」である場合にスピーカ１２５から音声が出力されるタイミングを示す。この例によると、タイミングｔ１でスピーカ１２５から音声の出力が開始される。（ｃ）は、スピーカ２２５から音声が出力されるタイミングを示す。この例によると、タイミングｔ２でスピーカ２２５から音声の出力が開始される。
【００６９】
上記したように、遅延時間Ｔが「Ｔ＝０」である場合、スピーカ１２５から音声が出力されるタイミングと、スピーカ２２５から音声が出力されるタイミングとでｔ２−ｔ１だけ時間差が生じる。
【００７０】
（ｄ）は、遅延時間Ｔが「Ｔ≒ｔ２−ｔ１」である場合にスピーカ１２５から音声が出力されるタイミングを示す。この例によると、タイミングｔ２でスピーカ１２５から音声の出力が開始される。この場合、スピーカ１２５から音声が出力されるタイミングと、スピーカ２２５から音声が出力されるタイミングとの時間差が最小（時間差≒０）となる。
【００７１】
放送受信装置１００が大型である場合、ユーザは、放送受信装置１００に対して距離をおいて視聴することになる。しかし、放送受信装置１００から離れた場合、放送受信装置１００から出力される音声が聞こえにくくなる可能性がある。そこで、上記したように、放送受信装置１００は、ユーザの手元で音声を出力する無線スピーカ（手元スピーカ）２００に音声信号を出力する。
【００７２】
無線スピーカ２００などの無線通信により通信を行なう機器は、製品毎に特性が異なることが多い。即ち、無線通信機器は、製品毎に遅延時間が異なる。この為、放送受信装置１００は、初めて接続される無線通信機器の遅延時間を認識することができない。
【００７３】
しかし、上記した実施形態によると、無線スピーカ２００などの無線通信機器は、接続設定の際に、遅延時間を示す遅延時間情報を含む識別情報を通信相手である放送受信装置１００に対して通知する。放送受信装置１００は、通知された遅延時間情報に基づいて、無線スピーカ２００と通信を行なう際の遅延時間を制御する。
【００７４】
即ち、放送受信装置１００は、ディジタル音声信号を受信する無線スピーカ２００から音声が出力されるタイミングを基準として、放送受信装置１００から音声を出力するタイミングを制御する。この為、放送受信装置１００は、無線スピーカ２００の処理との時間差を減らすことができる。これにより、放送受信装置１００は、スピーカ２２５から音声が出力されるタイミングとほぼ同じタイミングでスピーカ１２５から音声を出力させることができる。これにより、放送受信装置１００は、ユーザに違和感を与えることなく、スピーカ１２５及びスピーカ２２５から音声を出力させることができる。この結果、より高い利便性を有する電子機器、及び電子機器の制御方法を提供することができる。
【００７５】
なお、上記した実施形態では、制御部１５０は、無線スピーカ２００から受信した遅延時間に応じてディジタル映像信号を遅延させると説明した。しかし、ディジタル音声信号の遅延時間と、ディジタル映像信号の遅延時間とは異なる長さであってもよい。ディジタル映像信号は、ディジタル音声信号に比べ情報量が多い。この為、ディジタル映像信号を遅延させる為のメモリは、より大きな容量が必要になる。しかし、大容量のメモリは、コストの増加を招く。そこで、制御部１５０は、ディジタル映像信号の遅延時間に上限を予め設定し、この上限を超えない範囲で映像遅延器１３２によりディジタル映像信号を遅延させる。これにより、コストの増加を防ぐことができる。
【００７６】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００７７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００７８】
１００…放送受信装置、１１１…チューナ、１１２…復調部、１１３…信号処理部、１２１…音声デコーダ、１２２…音声遅延器、１２３…ＤＡ変換器、１２４…アンプ、１２５…スピーカ、１３１…映像デコーダ、１３２…映像遅延器、１３３…表示処理部、１３４…ディスプレイ、１５０…制御部、１５１…ＣＰＵ、１５２…ＲＯＭ、１５３…ＲＡＭ、１５４…ＥＥＰＲＯＭ、１６１…操作入力部、１６２…受光部、１６３…リモートコントローラ、１７１…ＬＡＮコネクタ、１７２…無線通信部、１７２ａ…メモリ、１７３…ＨＤＭＩ端子、２００…無線スピーカ、２２１…無線通信部、２２１ａ…メモリ、２２３…ＤＡ変換器、２２４…アンプ、２２５…スピーカ。
【図１】
2015039092.tif 000003
【図２】
2015039092.tif 000004
【図３】
2015039092.tif 000005
【図４】
2015039092.tif 000006